(57)【要約】【課題】運用中の機能カードの障害発生時に冗長構成の機能カードへの切り替えを短時間で行えること。【解決手段】基地局装置は、複数のインタフェース配線間の信号を処理する複数の機能カード１１３ａ〜１１３ｎと、一以上の冗長構成の機能カード１１３ｎ＋１とを備える。また、一のインタフェース配線あたり一対の機能カード１１３ａ，１１３ｂを切替可能なスイッチ１１２ａ，１１４ａと、複数の機能カード１１３ａ〜１１３ｎそれぞれの障害発生を予測し、障害予測された機能カード１１３ｂの位置に基づいてスイッチ１１２ａ，１１４ａを切替制御し、冗長構成の機能カード１１３ｎ＋１を障害予測された機能カード１１３ｂの近傍に事前配置させる装置制御部１１６と、を備える。【選択図】図１
2015226229.tif 000002
【特許請求の範囲】
【請求項１】
複数のインタフェース配線間の信号を処理する複数の機能カードと、一以上の冗長構成の機能カードとを備える基地局装置であって、
一のインタフェース配線あたり一対の前記機能カードを切替可能なスイッチと、
複数の前記機能カードそれぞれの障害発生を予測し、当該障害予測された前記機能カードの位置に基づいて前記スイッチを切替制御し、前記冗長構成の機能カードを障害予測された前記機能カードの近傍に事前配置させる制御部と、
を備えたことを特徴とする基地局装置。
【請求項２】
前記スイッチは、
複数の前記インタフェース配線の各々に設けられ、一のインタフェース配線につき第１系統と第２系統との２配線を選択的に切替接続し、前記第１系統と前記第２系統とは異なる前記機能カードに切替接続可能であり、かつ、隣接する前記スイッチ間の前記第１系統と前記第２系統とは同じ機能カードに切替接続可能なことを特徴とする請求項１に記載の基地局装置。
【請求項３】
前記制御部は、
障害予測された前記機能カードの障害発生時に前記スイッチを切替制御し、障害発生した前記機能カードを前記インタフェース配線から切り離し、前記冗長構成の機能カードを前記インタフェース配線に接続することを特徴とする請求項１または２に記載の基地局装置。
【請求項４】
前記制御部は、
障害予測された前記機能カードが生じた場合、前記冗長構成の機能カードから障害予測された前記機能カードの方向上の前記スイッチを一つずつスイッチ切替することで、前記冗長構成の機能カードを障害予測された前記機能カードに近接する位置に事前配置させることを特徴とする請求項１〜３のいずれか一つに記載の基地局装置。
【請求項５】
前記制御部は、
障害予測された前記機能カードが１枚の場合、前記冗長構成の機能カードを障害予測された前記機能カードに隣接する位置に事前配置させることを特徴とする請求項４に記載の基地局装置。
【請求項６】
前記制御部は、
障害予測された前記機能カードが複数枚の場合、前記冗長構成の機能カードを障害予測された複数枚の前記機能カードのそれぞれに対し前記スイッチの切替回数が少なくなる位置に事前配置させることを特徴とする請求項４に記載の基地局装置。
【請求項７】
前記制御部は、
障害予測された前記機能カードが２枚の場合、前記冗長構成の機能カードを障害予測された２枚の前記機能カードの中間位置に事前配置させることを特徴とする請求項４に記載の基地局装置。
【請求項８】
前記制御部は、
複数枚の前記機能カードの動作状態の状態監視に基づき、障害予測することを特徴とする請求項１〜７のいずれか一つに記載の基地局装置。
【請求項９】
前記制御部は、
前記複数枚の前記機能カードの動作状態を複数の項目別に状態監視し、当該項目別の監視値の集計値を生成し、当該集計値に基づいて前記事前配置の有無を判断することを特徴とする請求項８に記載の基地局装置。
【請求項１０】
前記制御部は、
他の外部装置に対し、前記障害予測の数値を通知することを特徴とする請求項９に記載の基地局装置。
【請求項１１】
前記制御部は、
前記項目別の障害予測の値毎に所定の重みづけを設定することを特徴とする請求項９または１０に記載の基地局装置。
【請求項１２】
前記制御部は、
他の外部装置から通知された前記項目別の障害予測の値に基づき、自装置の項目別の障害予測の値に重みづけを設定することを特徴とする請求項９〜１１のいずれか一つに記載の基地局装置。
【請求項１３】
前記制御部は、
前記集計値を所定の閾値と比較して前記事前配置の有無を判断し、所定の処理回数で前記集計値が閾値を超えない場合、前記閾値を集計値に近接させることを特徴とする請求項９〜１２のいずれか一つに記載の基地局装置。
【請求項１４】
前記制御部は、
前記事前配置時に、前記冗長構成の機能カードを起動させることを特徴とする請求項１〜１３のいずれか一つに記載の基地局装置。
【発明の詳細な説明】
【技術分野】
【０００１】
本発明は、機能部の障害時に冗長部を用いる基地局装置に関する。
【背景技術】
【０００２】
図１８は、従来の基地局装置の構成例を示す図である。図示の基地局装置は、ベースステーション部１０１と、ＲＥ（Ｒａｄｉｏ  Ｅｑｕｉｐｍｅｎｔ）部１０２とを含む。ベースステーション部１０１は、ベースバンド処理を行うＢＢ機能部１１１、ＳＷ部１１２、送受信インタフェース（ＴＲＸ−ＩＮＦ）機能部１１３、無線装置ＩＦ部１１４等を含む。各機能部１１１、１１３、１１４は複数系統に対応した複数枚の機能カードを有し、各系統のデータを並列（同時）処理する。ＲＥ部１０２はベースステーション部１０１から離れて複数設置され、アンプやアンテナ等を含む。
【０００３】
ＴＲＸ−ＩＮＦ機能部１１３は、ＤＳＰやＦＰＧＡ等の能動部品を有するｎ枚の機能カード１〜ｎ（１１３ａ〜１１３ｎ）を有し、いずれかの機能カード１１３ａ〜１１３ｎでの障害発生時の予備用として１枚の冗長カード１１３ｎ＋１を有している。冗長カード１１３ｎ＋１は、いずれかの機能カード１１３ａ〜１１３ｎの障害発生時に切り替えられて動作する。
【０００４】
図１８に示すように、ＴＲＸ−ＩＮＦ機能部１１３は、無線装置ＩＦ部１１４の一つの系統（インタフェース配線）に対し、隣接する機能カード（例えば機能カード１１３ａあるいは１１３ｂ）のいずれか一つが選択的に接続可能である。ＳＷ部１１２は、各機能カード１１３ａ〜１１３ｎとの間の接続を任意に選択可能である。これにより、ＴＲＸ−ＩＮＦ機能部１１３は、ＳＷ部１１２との間、および無線装置ＩＦ部１１４との間の接続（インタフェース配線）を切り替えることで、障害発生した機能カードを冗長カード１１３ｎ＋１に切り替えて運用処理を継続することができる。
【０００５】
従来、例えば、通信情報を変換する変換部を有する通信装置において、障害発生時に運用系変換部を待機系変換部に切り替えて通信サービスを継続させる技術がある（例えば、下記特許文献１参照。）。また、Ｎ個の部品の故障時にスイッチ切替により１個の予備部品に切り替えるものにおいて、Ｎ：１の冗長数を変更可能な技術がある（例えば、下記特許文献２参照。）。
【先行技術文献】
【特許文献】
【０００６】
【特許文献１】特開２０１０−２１２８７９号公報
【特許文献２】特開平０４−７９４２５号公報
【発明の概要】
【発明が解決しようとする課題】
【０００７】
図１９は、従来技術の問題を説明する図である。例えば、基地局装置が運用中であり、ＴＲＸ−ＩＮＦ機能部１１３の機能カード１１３ａ〜１１３ｎが全て動作中であるとする。そして、図１９（ａ）に示すように、ＴＲＸ−ＩＮＦ機能部１１３の機能カード１１３ｂに障害が発生したとする。
【０００８】
このため、図１９（ｂ）に示すように、まず、障害が発生した機能カード１１３ｂに隣接する機能カード１１３ａを冗長カード１１３ｎ＋１と入れ替えする処理を行う。この後、図１９（ｃ）に示すように、障害が発生した機能カード１１３ｂを冗長カード１１３ｎ＋１と入れ替えする処理を行う。
【０００９】
このように、スイッチ構成の制限から機能カード１１３ａ〜１１３ｎが隣接するカード間でのみＳＷ切替可能な構成である場合、障害が発生した機能カード１１４ｂを直接冗長カード１１３ｎ＋１に切り替えることはできない。機能カード１１３ａ〜１１３ｎ（機能カード１１３ｂを除く）の運用状態を継続するために、障害発生の機能カード１１３ｂ以外のカードのカード切替処理を一つずつ行わねばならない。
【００１０】
このため、障害が発生した機能カードが冗長カードから離れているほど切替完了するまでに複数回のカード切替処理の時間が増大する。そして、障害発生時点からカード切替が終了するまでの間、機能カード１１３ｂが行っていた通信サービスの断状態が続いてしまう。
【００１１】
一つの側面では、本発明は、運用中の機能カードの障害発生時に冗長構成の機能カードへの切り替えを短時間で行えることを目的とする。
【課題を解決するための手段】
【００１２】
一つの案では、基地局装置は、複数のインタフェース配線間の信号を処理する複数の機能カードと、一以上の冗長構成の機能カードとを備える基地局装置であって、一のインタフェース配線あたり一対の前記機能カードを切替可能なスイッチと、複数の前記機能カードそれぞれの障害発生を予測し、当該障害予測された前記機能カードの位置に基づいて前記スイッチを切替制御し、前記冗長構成の機能カードを障害予測された前記機能カードの近傍に事前配置させる制御部と、を備えたことを要件とする。
【発明の効果】
【００１３】
一つの実施形態によれば、運用中の機能カードの障害発生時に冗長構成の機能カードへの切り替えを短時間で行える。
【図面の簡単な説明】
【００１４】
【図１】図１は、実施の形態にかかる基地局装置の内部構成例を示す図である。
【図２】図２は、実施の形態にかかる基地局装置の障害発生予測に基づく冗長カードの切り替えを説明する図である。
【図３】図３は、実施の形態にかかる基地局装置の障害発生予測に基づく冗長カードの切り替え処理例を示すフローチャートである。
【図４】図４は、実施の形態にかかる冗長カードの移動処理例を示すフローチャートである。
【図５】図５は、実施の形態にかかる障害予測カードが１枚の場合の冗長カードの移動処理例を説明する図である。
【図６】図６は、実施の形態にかかる障害予測カードが２枚の場合の冗長カードの移動処理例を説明する図である。
【図７】図７は、実施の形態にかかる障害予測判断に用いる閾値変更の処理を説明する図である。
【図８】図８は、冗長カードの電源制御を説明する図である。
【図９】図９は、実施の形態にかかる状態監視の構成例を示すブロック図である。
【図１０】図１０は、実施の形態にかかる障害予測に用いる電圧チェックの処理例を示すフローチャートである。
【図１１】図１１は、実施の形態にかかる障害予測に用いるパリティチェックの処理例を示すフローチャートである。
【図１２】図１２は、実施の形態にかかる障害予測に用いるＣＰＵ負荷チェックの処理例を示すフローチャートである。
【図１３】図１３は、実施の形態にかかる障害予測ポイントの集計の処理例を示すフローチャートである。
【図１４Ａ】図１４Ａは、実施の形態にかかる障害予測情報の配信処理例を示すフローチャートである。
【図１４Ｂ】図１４Ｂは、実施の形態にかかる障害予測情報の受信処理例を示すフローチャートである。（その１）
【図１４Ｃ】図１４Ｃは、実施の形態にかかる障害予測情報の受信処理例を示すフローチャートである。（その２）
【図１５】図１５は、実施の形態にかかる冗長カードのスイッチ切替動作を説明する図である。
【図１６】図１６は、他の実施の形態にかかる冗長カードのスイッチ切替動作を説明する図である。
【図１７】図１７は、実施の形態にかかる切り替え時間の優位性を説明する図である。
【図１８】図１８は、従来の基地局装置の構成例を示す図である。
【図１９】図１９は、従来技術の問題を説明する図である。
【発明を実施するための形態】
【００１５】
（実施の形態）
以下に添付図面を参照して、開示技術の好適な実施の形態を詳細に説明する。図１は、実施の形態にかかる基地局装置の内部構成例を示す図である。
【００１６】
（基地局装置の構成例）
図示の基地局装置１００は、ベースステーション部１０１と、ＲＥ部１０２とを含む。ベースステーション部１０１は、基地局装置１００に設けられる複数の系統（インタフェース配線）の信号処理、例えばベースバンド処理を行う機能部Ｂ（１１１）、ＳＷ部１１２、基地局装置１００に必要な複数の系統（インタフェース配線）の信号処理、例えば送受信インタフェース（ＴＲＸ−ＩＮＦ）処理を行う機能部Ａ（１１３）、無線装置ＩＦ部１１４、ＨＷＹ  ＩＦ部１１５、装置制御部１１６等を含む。
【００１７】
各機能部１１１、１１３、１１４は複数枚の機能カードを有し、複数のデータを複数の処理系統で並列処理する。ＲＥ部１０２はベースステーション部１０１から離れて複数設置され、アンプやアンテナ等を含む。
【００１８】
機能部ＡのＴＲＸ−ＩＮＦ機能部１１３は、ＤＳＰやＦＰＧＡ等の能動部品を有するｎ枚の機能カード１１３ａ〜１１３ｎを有し、いずれかの機能カード１１３ａ〜１１３ｎでの障害発生時に用いられる１枚の冗長カード１１３ｎ＋１を有している。障害発生時には、冗長カード１１３ｎ＋１が用いられる。冗長カード１１３ｎ＋１は、機能カード１１３ａ〜１１３ｎと同じ機能を実行できる予備（待機）用の機能カードである。
【００１９】
図１に示すように、ＴＲＸ−ＩＮＦ機能部１１３は、ＳＷ部１１２に設けられるスイッチ１１２ａ、および無線装置ＩＦ部１１４に設けられるスイッチ１１４ａ（互いが同系統上の一対のスイッチ）のスイッチ切替により、インタフェース配線（系統）に対する機能カード１１３ａ〜１１３ｎの接続が任意に選択可能である。
【００２０】
無線装置ＩＦ部１１４に設けられる複数のスイッチ１１４ａは、それぞれＴＲＸ−ＩＮＦ機能部１１３内で図の上下方向に配置される機能カード１１３ａ〜１１３ｎと冗長カード１１３ｎ＋１のうち隣接する一対の機能カード（例えば機能カード１１３ａあるいは１１３ｂ）に選択的に接続可能である。
【００２１】
一つのスイッチ１１４ａは、一のインタフェース配線につき第１系統ａと第２系統ｂとの２配線をカード制御部１２４からの指示に応じて選択的に接続する。このスイッチ１１４ａの第１系統ａと第２系統ｂとは異なる機能カード１１３ａ，１１３ｂに接続可能であり、かつ、隣接するスイッチ１１４ａ，１１４ａ間の第１系統ａと第２系統ｂとは同じ機能カード１１３ｂに接続可能である。
【００２２】
ＳＷ部１１２は、各機能カード１１３ａ〜１１３ｎのそれぞれとの接続が任意に選択可能な複数のスイッチ１１２ａを内部に含む。このスイッチ１１２ａも同様にカード制御部１２４からの指示に応じてスイッチ１１４ａと同期してスイッチ１１４ａと同様の動作を行う（スイッチ１１２ａと同じ機能カードへの接続を行う）。
【００２３】
これにより、ＴＲＸ−ＩＮＦ機能部１１３は、ＳＷ部１１２との間、および無線装置ＩＦ部１１４との間の接続の切り替えにより、障害発生した機能カードを冗長カード１１３ｎ＋１を用いて運用処理を継続することができる（カード切替制御の詳細は後述する）。
【００２４】
ＨＷＹ  ＩＦ部１１５は、コア網（ネットワーク）１３０側の装置との通信インタフェースであり、例えば、Ｘ１インタフェース、Ｓ１インタフェースやインターネット等を介して他のベースステーション部１０１（基地局装置１００）等と接続される。
【００２５】
装置制御部１１６は、カード状態監視部１２１、障害予測部１２２、障害予測学習部１２３、カード制御部１２４等を含む。カード状態監視部１２１は、カード監視制御パス１２１ａを介して各機能カード１１３ａ〜１１３ｎについて障害発生の有無等のカード状態を監視する。
【００２６】
障害予測部１２２は、カード状態監視部１２１のカード状態監視により、各機能カード１１３ａ〜１１３ｎの障害発生予測を行う。障害予測学習部１２３は、ＨＷＹ  ＩＦ部１１５を介して他の基地局装置１００が保有する障害予測情報を取得（共有）し、障害予測部１２２に対し、各機能カード１１３ａ〜１１３ｎに対する障害予測情報を出力する。障害予測部１２２は、この障害予測情報を含めて各機能カード１１３ａ〜１１３ｎの障害発生予測を行う。
【００２７】
カード制御部１２４は、障害が発生した機能カード１１３ａ〜１１３ｎの機能を冗長カード１１３ｎ＋１に切り替えて動作継続させる（代替えする）カード切替制御を行う。そして、このカード制御部１２４は、障害予測部１２２により障害発生が予測された障害発生前の時点で、障害の発生が予測された機能カード１１３ａ〜１１３ｎを迅速に冗長カード１１３ｎ＋１に切り替えるための事前のカード切替制御を行う。
【００２８】
例えば、カード制御部１２４は、障害予測部１２２により障害発生が予測された障害発生前の時点で、例えば、機能カード１１３ｂに障害発生が予測されたときには、冗長カード１１３ｎ＋１をこの機能カード１１３ｂに近接する位置（例えば、機能カード１１３ｂに隣接する位置）に配置しておく。
【００２９】
この際、機能カード１１３ｂと冗長カード１１３ｎ＋１との間に配置された他の機能カードについては、順次一対のスイッチ１１２ａ，１１４ａの切り替えを行って、冗長カード１１３ｎ＋１を機能カード１１３ｂに隣接する位置まで移動させる。なお、移動後の冗長カード１１３ｎ＋１は、一対のスイッチ１１２ａ，１１４ａのスイッチ切替により、系統（インタフェース配線）から切り離された状態であり、未動作状態のまま待機させておく。
【００３０】
これにより、実際に機能カード１１３ｂに障害発生したときには、機能カード１１３ｂを系統（インタフェース配線）に接続させている一対のスイッチ１１２ａ，１１４ａを冗長カード１１３ｎ＋１側にスイッチ切替するだけで、迅速に冗長カード１１３ｎ＋１を用いた運用継続を行えるようになる。なお、障害が発生した機能カード１１３ｂは、再起動等で障害解消されれば再度運用に用いることができ、障害解消された機能カード１１３ｂを新たな冗長カード１１３ｎ＋１として用いることとしてもよい。
【００３１】
（障害発生予測による冗長カードの事前配置）
図２は、実施の形態にかかる基地局装置の障害発生予測に基づく冗長カードの切り替えを説明する図である。図２（ａ）に示すように、カード状態監視部１２１は、カード監視制御パス１２１ａを介して各機能カード１１３ａ〜１１３ｎの状態を監視する。例えば、各機能カード１１３ａ〜１１３ｎのトラヒック量、データエラーレート、各機能カード１１３ａ〜１１３ｎに搭載されたＣＰＵのＣＰＵ使用率などを監視する。
【００３２】
そして、障害予測部１２２がある機能カード（例えば機能カード１１３ｂ）の障害発生を予測したとする。例えば、機能カード１１３ｂのトラヒック量が異常に低下あるいは上昇、データエラーレートの増大、ＣＰＵ使用率の増大、等のいずれかあるいは組み合わせが生じたときには（図中△印）、障害予測部１２２は、カード制御部１２４に対して障害発生予測の情報を出力する。
【００３３】
そして、図２（ｂ）に示すように、カード制御部１２４は、機能カード１１３ｂに障害発生前の時点で、冗長カード（Ｒｅｓｅｒｖｅ）１１３ｎ＋１を機能カード１１３ｂに近接する位置（例えば、機能カード１１３ｂの隣接位置）に位置させる（冗長カードの事前配置）カード切替制御を行う。
【００３４】
詳細は後述するが、複数枚の機能カード１１３で障害発生が予測された場合には、冗長カード１１３ｎ＋１をこれら障害発生が予測された複数枚の機能カードのいずれに対してもスイッチ切替回数が少ない状態で接続可能な位置に事前配置させておく。この際、ＳＷ部１１２、および無線装置ＩＦ部１１４のスイッチ１１２ａ，１１４ａのスイッチ切替により、複数の機能カード１１３ａ〜１１３ｎ内で順次隣接する機能カード同士の切り替えが行われる。
【００３５】
これにより、機能カード１１３ｂに実際に障害発生したときには（図中×印）、機能カード１１３ｂを近接配置された冗長カード１１３ｎ＋１に切り替える１回のスイッチ切替だけで迅速にカード切り替えを行える。この際、ＳＷ部１１２および無線装置ＩＦ部１１４の系統Ｂの一対のスイッチ１１２ａ，１１４ａを、機能カード１１３ｂから、隣接する冗長カード１１３ｎ＋１に切り替えるだけで、同じ系統Ｂを用いてデータ送受信を行え、運用サービスを継続できる。
【００３６】
図３は、実施の形態にかかる基地局装置の障害発生予測に基づく冗長カードの切り替え処理例を示すフローチャートである。装置制御部１１６が行う制御内容について説明する。はじめに、装置制御部１１６は、基地局装置１００（ベースステーション部１０１）の起動により、カード状態監視部１２１は、各機能カード１１３ａ〜１１３ｎの状態監視を開始する。
【００３７】
カード状態監視部１２１が行う状態監視項目としては、各機能カード１１３ａ〜１１３ｎそれぞれの電圧チェック処理（ステップＳ３０１）、エラー（ＣＰＵパリティ、回線データチェックパリティ）チェック処理（ステップＳ３０２）等がある。また、ＣＰＵ使用率（ＣＰＵ負荷）チェック処理（ステップＳ３０３）、回線エラー監視処理（ステップＳ３０４）等がある（詳細は後述する）。
【００３８】
そして、装置制御部１１６（カード状態監視部１２１）は、カード監視制御パス１２１ａを介したポーリング制御により各機能カード１１３ａ〜１１３ｎの状態を監視する。次に、装置制御部１１６（障害予測部１２２）は、以下の処理により各機能カード１１３ａ〜１１３ｎの障害発生の予測を行う。
【００３９】
障害予測部１２２は、カード状態監視部１２１が行う各機能カード１１３ａ〜１１３ｎの状態監視項目の監視に基づき、障害予測チェック項目を生成する。ここでは、便宜上、障害予測チェック項目は、状態監視項目と同じであるとする（障害予測チェック項目の詳細は後述する）。
【００４０】
そして、障害予測部１２２は、ステップＳ３０１〜ステップＳ３０４の各状態監視項目の監視結果（値）に基づいて障害予測ポイントを生成し、障害予測ポイントを一定時間加算した集計ポイントを用いて障害予測する。集計ポイントは、各機能カード１１３ａ〜１１３ｎで予測される障害発生の程度を数値化したものである。障害予測部１２２は、処理回数の初期値を０とし（ステップＳ３０５）、集計ポイントを所定の閾値Ｘと比較する（ステップＳ３０６）。この閾値は、任意に可変自在である。
【００４１】
そして、装置制御部１１６（障害予測部１２２）は、ステップＳ３０６の判断の結果、集計ポイントが閾値Ｘ以下であれば（ステップＳ３０６：Ｙｅｓ）、処理回数が一定時間（一定周期でＮ回（カウンタ＝Ｎ））以上であるか判断する（ステップＳ３０７）。処理回数がＮ回未満であれば（ステップＳ３０７：Ｎｏ）、カウンタを１加算し（ステップＳ３０８）、ステップＳ３０６に戻る。処理回数がＮ回以上であれば（ステップＳ３０７：Ｙｅｓ）、ステップＳ３１１に移行する。
【００４２】
また、ステップＳ３０６の判断の結果、集計ポイントが閾値Ｘを超えていれば（ステップＳ３０６：Ｎｏ）、この閾値を超えた機能カード１１３ａ〜１１３ｎの枚数をチェックする（ステップＳ３０９）。
【００４３】
実施の形態の処理例では、閾値を超えた機能カード（障害予測カードと称する）の枚数について、２枚まで処理を行う。このため、障害予測カードが３枚以上であるか判断する（ステップＳ３０９）。障害予測カードが２枚までであれば（ステップＳ３０９：Ｎｏ）、装置制御部１１６（カード制御部１２４）は、障害予測カードの近傍に冗長カード（Ｒｅｓｅｒｖｅ）１１３ｎ＋１を事前配置させる処理を行い（ステップＳ３１０）、ステップＳ３１１に移行する。一方、障害予測カードが３枚以上であれば（ステップＳ３０９：Ｙｅｓ）、ステップＳ３１１に移行する。
【００４４】
ステップＳ３１１では、装置制御部１１６（障害予測部１２２）は、閾値Ｘを集計ポイントの最大（Ｍａｘ）値より所定値（例えば５％）低い値に変更する（ステップＳ３１１）。これにより、経時的な各状態監視項目別の集計ポイントの変動に対応した障害予測が行える。そして、装置制御部１１６（障害予測部１２２）は、集計ポイントの値をクリアして（ステップＳ３１２）、ステップＳ３０５に戻り、ステップＳ３０５以下の処理を継続して実行する。
【００４５】
図４は、実施の形態にかかる冗長カードの移動処理例を示すフローチャートである。図３に示した、装置制御部１１６（カード制御部１２４）が行う冗長カード（Ｒｅｓｅｒｖｅ）１１３ｎ＋１の事前配置の移動処理（ステップＳ３１０）の詳細な処理内容を示す。
【００４６】
はじめに、障害予測カードが１枚であるか判断し（ステップＳ４０１）、１枚であれば（ステップＳ４０１：Ｙｅｓ）、装置制御部１１６（カード制御部１２４）は、障害予測カード位置番号をＸ、冗長カード（Ｒｅｓｅｒｖｅ）位置番号をＹとする（ステップＳ４０２）。これら位置番号Ｘ，Ｙは、上述したｎ枚の機能カード１１３ａ〜１１３ｎの並びを番号にしたものである。
【００４７】
そして、装置制御部１１６（カード制御部１２４）は、この１枚の障害予測カードと冗長カードの相対位置を判断する（ステップＳ４０３）。例えば、Ｘ−Ｙ＜０に適合すれば（ステップＳ４０３：Ｙｅｓ）、冗長カードの現在位置（番号）が障害予測カードの位置（番号）より大きな番号に位置していると判断する（状態１）。
【００４８】
この状態１では、装置制御部１１６（カード制御部１２４）は、Ｙ＝Ｘ＋１の番号に位置するまで冗長カード１１３ｎ＋１を障害予測カードの一つ隣の位置まで移動させる（ステップＳ４０４：Ｎｏ）。この際、冗長カードは、Ｙ＝Ｙ−１（ステップＳ４０５）、すなわち障害予測カードを小さな番号の方向に一つずつ移動させて運用中の機能カードと切り替えることを繰り返す（ステップＳ４０４に戻る）。
【００４９】
装置制御部１１６（カード制御部１２４）は、Ｙ＝Ｘ＋１が満足（冗長カードが障害予測カードの一つ大きな番号の位置まで移動）すれば（ステップＳ４０４：Ｙｅｓ）、冗長カードを事前配置させる移動処理が終了する。
【００５０】
一方、ステップＳ４０３でＸ−Ｙ＜０に適合しなければ（ステップＳ４０３：Ｎｏ）、装置制御部１１６（カード制御部１２４）は、冗長カードの現在位置（番号）が障害予測カードの位置（番号）より小さな番号に位置していると判断する（状態２）。
【００５１】
この状態２では、装置制御部１１６（カード制御部１２４）は、Ｙ＝Ｘ−１の番号に位置するまで冗長カード１１３ｎ＋１を障害予測カードの一つ隣の位置まで移動させる（ステップＳ４０６：Ｎｏ）。この際、冗長カードは、Ｙ＝Ｙ＋１（ステップＳ４０７）、すなわち障害予測カードを大きな番号の方向に一つずつ移動させて運用中の機能カードと切り替えることを繰り返す（ステップＳ４０６に戻る）。
【００５２】
装置制御部１１６（カード制御部１２４）は、Ｙ＝Ｘ−１が満足（冗長カードが障害予測カードの一つ小さな番号の位置まで移動）すれば（ステップＳ４０６：Ｙｅｓ）、冗長カードを事前配置させる移動処理が終了する。
【００５３】
一方、障害予測カードが１枚でなければ（２枚の場合、ステップＳ４０１：Ｎｏ）、装置制御部１１６（カード制御部１２４）は、これら２枚の障害予測カード位置番号をＸ，Ｙ、冗長カード（Ｒｅｓｅｒｖｅ）位置番号をＺ、冗長カードの移動後の位置番号をＧ＝Ｘ＋（Ｙ−Ｘ）／２とする（ステップＳ４１１）。すなわち、２枚の障害予測カードの中間位置に冗長カードを事前配置させる処理を行う。
【００５４】
このため、装置制御部１１６（カード制御部１２４）は、これら２枚の障害予測カードと冗長カードの相対位置を判断する（ステップＳ４１２）。例えば、Ｇ−Ｚ＞０に適合すれば（ステップＳ４１２：Ｙｅｓ）、冗長カードの現在位置（番号）が２枚の障害予測カードの位置（番号）の一方（小さい番号の障害予測カード側）に位置していると判断し（状態３）、Ｇの値を切り捨てた番号に移動させる。
【００５５】
この状態３では、装置制御部１１６（カード制御部１２４）は、Ｇ＝Ｚの番号に位置するまで冗長カード１１３ｎ＋１を移動させる（ステップＳ４１３：Ｎｏ）。この際、冗長カードは、Ｚ＝Ｚ＋１（ステップＳ４１４）、すなわち障害予測カードを大きな番号の方向に一つずつ移動させて運用中の機能カードと切り替えることを繰り返す（ステップＳ４１３に戻る）。
【００５６】
装置制御部１１６（カード制御部１２４）は、Ｇ＝Ｚが満足（冗長カードが２枚の障害予測カードの中間位置まで移動）すれば（ステップＳ４１３：Ｙｅｓ）、冗長カードの事前配置の移動処理が終了する。
【００５７】
一方、Ｇ−Ｚ＞０に適合しなければ（ステップＳ４１２：Ｎｏ）、Ｇ−Ｚ＜０に適合するか判断する（ステップＳ４１５）。そして、装置制御部１１６（カード制御部１２４）は、Ｇ−Ｚ＜０に適合すれば（ステップＳ４１５：Ｙｅｓ）、冗長カードの現在位置（番号）が２枚の障害予測カードの位置（番号）の他方（大きい番号の障害予測カード側）に位置していると判断し（状態４）、Ｇの値を切り上げた番号に移動させる。
【００５８】
この状態４では、Ｇ＝Ｚの番号に位置するまで冗長カード１１３ｎ＋１を移動させる（ステップＳ４１６：Ｎｏ）。この際、冗長カードは、Ｚ＝Ｚ−１（ステップＳ４１７）、すなわち障害予測カードを小さな番号の方向に一つずつ移動させて運用中の機能カードと切り替えることを繰り返す（ステップＳ４１６に戻る）。Ｇ＝Ｚが満足（冗長カードが２枚の障害予測カードの中間位置まで移動）すれば（ステップＳ４１６：Ｙｅｓ）、冗長カードの事前配置の移動処理が終了する。
【００５９】
また、ステップＳ４１５において、Ｇ−Ｚ＜０に適合しなければ（ステップＳ４１５：Ｎｏ）、装置制御部１１６（カード制御部１２４）は、Ｇ−Ｚ＝０を満たし、すなわち冗長カードの現在位置（番号）が２枚の障害予測カードの中間位置に位置していると判断し（状態５）、冗長カードの移動処理は行わずに終了する。
【００６０】
図５は、実施の形態にかかる障害予測カードが１枚の場合の冗長カードの移動処理例を説明する図である。図中横軸には、上述したｎ枚の機能カード１１３ａ〜１１３ｎの並びを番号で示してある。
【００６１】
図５（ａ）には、図４で説明した状態１、すなわち、Ｘ−Ｙ＜０の状態を示している。例えば、障害予測カードの番号「９」よりも冗長カード（Ｒｅｓｅｒｖｅ）の現在の位置の番号「１３」が大きい場合を示している。この場合、９−１３＝−４であり、冗長カード（Ｒｅｓｅｒｖｅ）をＸ＋１＝９＋１＝１０の番号に位置に事前配置させる。
【００６２】
図５（ｂ）には、図４で説明した状態２、すなわち、Ｘ−Ｙ＞０の状態を示している。例えば、障害予測カードの番号「９」よりも冗長カード（Ｒｅｓｅｒｖｅ）の現在の位置の番号「４」が大きい場合を示している。この場合、９−４＝５であり、冗長カード（Ｒｅｓｅｒｖｅ）をＸ−１＝９−１＝８の番号の位置に事前配置させる。
【００６３】
図６は、実施の形態にかかる障害予測カードが２枚の場合の冗長カードの移動処理例を説明する図である。図６（ａ）には、図４で説明した状態３、すなわち、Ｇ−Ｚ＞０の状態を示している。例えば、２枚の障害予測カードの番号「３，１２」に対し、冗長カード（Ｒｅｓｅｒｖｅ）の現在の位置の番号が「５」であり、２枚の障害予測カードの番号「３，１２」の中間位置から若番（小さい番号）側に位置している場合を示している。この場合、Ｇ＝Ｚとなるように、２枚の障害予測カードの番号「３，１２」の中間の番号（Ｇを切り捨てた場合の番号「７」）の位置に冗長カード（Ｒｅｓｅｒｖｅ）を事前配置させる。
【００６４】
図６（ｂ）には、図４で説明した状態４、すなわち、Ｇ−Ｚ＜０の状態を示している。例えば、２枚の障害予測カードの番号「３，１２」に対し、冗長カード（Ｒｅｓｅｒｖｅ）の現在の位置の番号が「１１」であり、２枚の障害予測カードの番号「３，１２」の中間位置から老番（大きい番号）側に位置している場合を示している。この場合、Ｇ＝Ｚとなるように、２枚の障害予測カードの番号「３，１２」の中間の番号（Ｇを切り上げた場合の番号「８」）の位置に冗長カード（Ｒｅｓｅｒｖｅ）を事前配置させる。
【００６５】
図６（ｃ）には、図４で説明した状態５、すなわち、Ｇ＝Ｚの状態を示している。例えば、２枚の障害予測カードの番号「３，１１」に対し、冗長カード（Ｒｅｓｅｒｖｅ）の現在の位置の番号が「７」であり、２枚の障害予測カードの番号「３，１１」のちょうど中間位置に位置している場合を示している。この場合、Ｇ＝Ｚを満たしているから、冗長カード（Ｒｅｓｅｒｖｅ）の移動は行う必要がない。
【００６６】
上記例で説明したように、障害予測に基づいて、冗長カードを障害予測の機能カードの近傍に位置するよう、障害発生前に事前配置させる移動処理を行っておく。１枚の機能カードの障害予測時には、隣接位置まで冗長カードを事前配置させておく一方、２枚の機能カードの障害予測時には、これら２枚の機能カードのいずれに対しても切り替え回数（時間）が短くなる位置に事前配置させておく。これにより、障害予測された機能カードに実際に障害発生したときには、近傍に配置されている冗長カードへのスイッチ切り替えを行うだけで、最小のスイッチ切替回数で迅速に切り替えが行えるようになる。
【００６７】
なお、上記例では、２枚の機能カードの障害予測時には、いずれの機能カードに対してもできるだけ均等に（機能カードの切り替え回数が少なくなる）位置に、冗長カードを事前に移動させておくこととした。これに限らず、２枚の機能カードの障害予測時、運用に優先度を有する機能カードがあれば、冗長カードをこの優先度を有する機能カード側に寄った位置に移動させておくこともできる。
【００６８】
また、上記説明例では、２枚までの機能カードの障害予測に対応する処理例を示した。３枚以上の複数枚の機能カードの障害予測時に、優先度を有する機能カードがある場合には同様に、冗長カードをこの優先度を有する機能カード側に寄った位置に事前配置させるカード移動制御を行ってもよい。
【００６９】
（障害予測の閾値変更について）
図７は、実施の形態にかかる障害予測判断に用いる閾値変更の処理を説明する図である。上述した図３（ステップＳ３０６）で用いる障害予測の所定の閾値Ｘの変更の処理（ステップＳ３１１）の詳細について説明する。
【００７０】
図３に示したように、装置制御部１１６（障害予測部１２２）は、各機能カードの集計ポイントを一定周期でＮ回チェックを行っている（ステップＳ３０６〜ステップＳ３０８）。そして、図７（ａ）に示すように、装置制御部１１６（障害予測部１２２）は、この一定周期でチェックを行った結果を蓄積し、Ｎ回目に集計ポイントが閾値Ｘを超えない場合、閾値ＸをＮ回分の集計ポイントの最大値（Ｍａｘ）より所定値（例えば５％）低い値に変更する。これにより、集計ポイントが閾値Ｘを超えない状態、すなわち、障害が発生しない正常状態が継続するほど閾値Ｘを下げる（集計ポイントに近接させる）ことができ、障害発生時にはこの障害発生を直ちに検出できるようになる。
【００７１】
また、図３のステップＳ３０９で示したように、集計ポイントが閾値を超える障害発生カードが３枚以上の場合が生じることがある。図７（ｂ）に示すように、装置制御部１１６（障害予測部１２２）は、処理回数Ｎ回未満で閾値Ｘを超えた障害予測カードが３枚以上あるときには、閾値Ｘを集計ポイントの最大値（Ｍａｘ）より所定値（例えば５％）低い値に変更する。これにより、閾値Ｘを超える障害予測カードの枚数を少なくして、集計ポイントが高い（障害率が高い）障害予測カードを検出できるようになる。
【００７２】
（冗長カードの電源制御）
図８は、冗長カードの電源制御を説明する図である。図８（ａ）には、待機時の冗長カードの電源制御の処理例を示すフローチャートを示す。
【００７３】
基地局装置１００（ベースステーション部１０１）の起動開始により、装置制御部１１６のカード状態監視部１２１がカード監視制御パス１２１ａを介して各機能カード１１３ａ〜１１３ｎの状態監視を行う（ステップＳ８０１）。装置制御部１１６は、障害予測部１２２が予測した各機能カードの障害率が所定の閾値より低い（上記集計ポイントが低い）状態であれば（ステップＳ８０２：Ｙｅｓ）、冗長カード１１３ｎ＋１を電源ＯＦＦ指示する（ステップＳ８０３）。一方、状態監視である機能カードの障害率が閾値より低くなければ（ステップＳ８０２：Ｎｏ）、ステップＳ８０４に移行する。
【００７４】
ステップＳ８０４では、装置制御部１１６は、ある機能カードの障害率が所定の閾値より高い（集計ポイントが高い）状態になれば（ステップＳ８０４：Ｙｅｓ）、冗長カード１１３ｎ＋１を電源ＯＮ指示し（ステップＳ８０５）、ステップＳ８０２に戻る。一方、状態監視で各機能カードの障害率が閾値より高くなければ（ステップＳ８０４：Ｎｏ）、ステップＳ８０２に戻る。
【００７５】
上記所定の閾値は、例えば、図３で説明した集計ポイントを比較する閾値Ｘを用いてもよいし、障害率に対応して設定したものを用いてもよい。
【００７６】
図８（ｂ）は、待機時の冗長カードの電源制御を説明する図である。図８（ｂ）を用いて冗長カードの電源制御を順に説明する。
１．カード状態監視部１２１により各機能カード１１３ａ〜１１３ｎの状態を監視し、障害予測部１２２により障害発生予測を行う。
２．基地局装置１００起動時には、冗長カード１１３ｎ＋１は、省電力化のためにカード電源をＯＦＦさせる。
３．この後、障害予測により、ある機能カード１１３ｂの障害率が上昇したとする。
４．カード状態監視部１２１は、カード監視制御パス１２１ａ等を介して冗長カード１１３ｎ＋１を電源ＯＮ（起動指示）する。
【００７７】
このように、冗長カード１１３ｎ＋１は、機能カードの障害予測に応じて障害率が高くなったときに起動させておくことで、省電力化が図れるとともに、冗長カード１１３ｎ＋１を事前配置させる際に迅速に処理開始できる状態にしておくことができ、カード移動制御時間を短時間で行えるようになる。
【００７８】
（状態監視項目）
図９は、実施の形態にかかる状態監視の構成例を示すブロック図である。図９を用いて、機能カードの障害予測に用いる各状態監視項目について説明する。図９の例では、カード状態監視部１２１は、各機能カード１１３ａ〜１１３ｎに対して下記１．〜４．の状態監視項目を監視する。
【００７９】
１．電圧異常監視（電圧チェック）
２．温度監視
３．メモリパリティエラー発生率／回線エラー監視
４．ＣＰＵ負荷監視、回線負荷監視
【００８０】
各機能カード１１３ａ〜１１３ｎは、それぞれ電源９０１、電源監視回路９０２、温度センサ９０３、ＣＰＵ９０４、メモリ９０５、回線制御部９０６を含む。電源９０１は、機能カード上の各部に動作用の各種異なる電源を供給する。電源監視回路９０２は、Ａ／Ｄ変換部やレジスタ等を含み、電源９０１の各種の電源電圧の監視結果をレジスタに格納する。温度センサ９０３は機能カードの温度を検出する。
【００８１】
ＣＰＵ９０４は、機能カードが有する機能（例えば上記ＴＲＸ−ＩＮＦ機能）を制御する。このＣＰＵ９０４は、メモリ９０５のパリティチェック、ＣＰＵ使用率、回線使用率、回線制御の機能を含む。回線制御部９０６は、ＤＳＰやＦＰＧＡ等を用い、機能カードが有する機能（上記ＴＲＸ−ＩＮＦ機能）を行う。この回線制御部９０６は、送受信データのエラーチェック、パリティ、プロトコル等を監視する。
【００８２】
装置制御部１１６に設けられるカード状態監視部１２１は、各機能カード１１３ａ〜１１３ｎの状態（上記状態監視項目１．〜４．）をカード監視制御パス１２１ａを介して取得する。１．電圧異常監視用の値は、各機能カード１１３ａ〜１１３ｎの電源監視回路９０２のレジスタ値を読み取ることで取得する。２．温度監視用の値は、温度センサ９０３の検出値を読み取ることで取得する。３．メモリパリティエラー発生率／回線エラー監視用の値は、ＣＰＵ９０４のパリティチェックの値の通知、および回線制御部９０６のパリティチェックの値の読み取りで取得する。４．ＣＰＵ負荷監視用の値は、ＣＰＵ９０４のＣＰＵ使用率の通知に基づき取得し、回線負荷監視用の値は、ＣＰＵ９０４の回線使用率の通知に基づき取得する。
【００８３】
（障害予測チェック項目）
装置制御部１１６に設けられる障害予測部１２２は、カード状態監視部１２１が取得した状態監視項目１．〜４．に基づき下記１．〜５．の障害予測チェック項目を生成しチェックする。障害予測部１２２は、下記１．〜５．の障害予測チェック項目をチェックする機能部１２２ａ〜１２２ｅを有する。
【００８４】
１．電圧異常警告レベル
２．温度状態警告レベル
３．エラー発生率警告レベル（ＣＰＵ用／回線用）
４．ＣＰＵ異常負荷警告レベル
５．回線異常発生率警告レベル
【００８５】
障害予測部１２２は、１．電圧異常警告レベルは、カード状態監視部１２１の１．電圧異常監視の取得値を用いてチェックする。２．温度状態警告レベルは、カード状態監視部１２１の２．温度監視の取得値を用いてチェックする。３．エラー発生率警告レベルは、ＣＰＵ用と回線用がある。ＣＰＵ用のエラー発生率警告レベルは、カード状態監視部１２１の３．メモリパリティエラー発生率監視の値を用いてチェックする。回線用のエラー発生率警告レベルは、カード状態監視部１２１の３．回線エラー監視の値を用いてチェックする。４．ＣＰＵ異常負荷警告レベルは、カード状態監視部１２１の４．ＣＰＵ負荷監視の値と、４．回線負荷監視の値とを用いてチェックする。５．回線異常発生率警告レベルは、カード状態監視部１２１の３．回線エラー監視の値と、４．回線負荷監視の値とを用いてチェックする。
【００８６】
（障害予測項目の値のポイント化と重みづけ）
障害予測部１２２は、これら１．〜５．の障害予測チェックに対応した機能部１２２ａ〜１２２ｅがそれぞれの警告レベルのチェックを行い、ポイント変換部１２２ｇにより、各障害予測チェックの出力値は、それぞれ障害予測ポイントに変換され、障害予測集計部１２２ｈに出力される。障害予測集計部１２２ｈは、これら１．〜５．の障害予測チェックの各障害予測ポイントを含む集計ポイントをカード制御部１２４に通知する。
【００８７】
また、障害予測ポイント重みづけ設定部１２２ｉを設けてもよい。障害予測ポイント重みづけ設定部１２２ｉは、障害予測学習部１２３が取得した他の基地局装置１００が保有する障害予測情報に基づき、各障害予測チェックの項目別の障害予測ポイントに対する重みづけを設定する。
【００８８】
（障害予測学習部による障害予測の学習について）
障害予測学習部１２３は、所定の一定周期で、ネットワーク上の隣接する装置（基地局装置１００等）に上記の障害予測チェック項目からなる障害予測情報をブロードキャストで配信する。同様に、他の基地局装置１００においても、同様の障害予測情報を配信する。
【００８９】
ここで、障害予測学習部１２３は、他の基地局装置１００から通知された障害予測情報に含まれる障害予測チェックの項目の情報を障害予測ポイント重みづけ設定部１２２ｉに出力する。これにより、障害予測ポイント重みづけ設定部１２２ｉは、入力された障害予測チェックの項目に対する重みづけを設定する。
【００９０】
図９に示すように、重みづけの値（ポイント係数）は、初期値が１倍である。そして、他の基地局装置１００から通知された障害予測チェックの項目「１．電圧異常警告レベル」については障害予測ポイントに乗算するポイント係数を３倍に設定し、「２．温度状態警告レベル」については障害予測ポイントに乗算するポイント係数を２倍に設定する。
【００９１】
障害予測ポイントに対する重みづけは、障害発生による基地局装置１００への影響の大きさや、障害発生する可能性の高い状態等により、可変にすることができる。例えば、「１．電圧異常警告レベル」については、電源９０１の異常が発生した場合は、ハードウェアであるため（リセット等による復旧が可能なソフトウェアと異なるため）、正常動作が保障できない。このため、早い段階で異常を警告する必要があり、上記のように重みづけを高く（例えば３倍）設定することで、閾値に達する時間を短くする（早めの故障予測を行う）ことができる。このように、障害予測学習部１２３を設けることにより、隣接する装置（基地局装置１００）の障害予測情報を元に、障害予測の誤検出を低減し、障害予測精度を向上させることができる。
【００９２】
このように、障害予測ポイントを集計する際に各障害予測チェックの項目別に重みづけ（ポイント係数を設定）することにより、障害予測の精度を向上できるようになる。なお、上記例では、他の基地局装置１００からの障害予測情報の通知に基づいて、障害予測ポイントに対する重みづけを設定（変更）することとした。これに限らず、自装置内で任意に各障害予測チェックの項目別の障害予測ポイントに重みづけを行うこともできる。
【００９３】
（各障害予測チェック項目の処理の詳細）
次に、上記各障害予測チェックの項目別の処理の詳細について説明する。
【００９４】
（１．電圧チェック）
図１０は、実施の形態にかかる障害予測に用いる電圧チェックの処理例を示すフローチャートである。図１０は、図３のステップＳ３０１の処理の詳細であり、上記１．電圧異常警告レベルチェック（図９参照）の処理に該当し、障害予測部１２２が主に実行処理する（例えば１ｍｓ周期で実行）。
【００９５】
はじめに、障害予測部１２２は、カード状態監視部１２１が取得した機能カード（例えば機能カード１１３ａ）の電源９０１の電圧値を取り込む（ステップＳ１００１）。以下、障害予測部１２２は、電圧値が正常であればカウンタ値を減算し、電圧値が異常であれば異常の程度に応じたカウンタ値を加算する。
【００９６】
具体的には、障害予測部１２２は、電圧値を所定の閾値と比較し、正常の範囲内（例えば基準値±４．５％内）であれば（ステップＳ１００２：Ｙｅｓ）、閾値超えカウンタを減算（例えば−１）する（ステップＳ１００３）。
【００９７】
一方、電圧値が正常の範囲外であれば（ステップＳ１００２：Ｎｏ）、はじめに第１範囲（最も大きな範囲、例えば基準値±４．９％）を超えているか判断する（ステップＳ１００４）。第１範囲を超えていれば（ステップＳ１００４：Ｙｅｓ）、閾値超えカウンタのカウンタ値を最も大きく加算（例えば＋３）する（ステップＳ１００５）。第１範囲を超えていなければ（ステップＳ１００４：Ｎｏ）、次の第２範囲（中程度の範囲、例えば基準値±４．７％）を超えているか判断する（ステップＳ１００６）。第２範囲を超えていれば（ステップＳ１００６：Ｙｅｓ）、閾値超えカウンタのカウンタ値を次に大きく加算（例えば＋２）する（ステップＳ１００７）。第２範囲を超えていなければ（ステップＳ１００６：Ｎｏ）、次の第３範囲（低程度の範囲、例えば基準値±４．５〜４．７％）であるため、閾値超えカウンタのカウンタ値を最も小さく加算（例えば＋１）する（ステップＳ１００８）。
【００９８】
次に、障害予測部１２２は、このステップＳ１００２〜ステップＳ１００８の実行後、過去所定期間分（１００ｍｓ）の閾値超えカウンタの合計値を算出する（ステップＳ１００９）。この後、障害予測部１２２は、閾値超えカウンタの合計値が所定値（例えば３０）以上であるか判断し（ステップＳ１０１０）、所定値（３０）以上であれば（ステップＳ１０１０：Ｙｅｓ）、障害予測ポイントを加算（ポイント＋１）する（ステップＳ１０１１）。一方、閾値超えカウンタの合計値が所定値（３０）未満であれば（ステップＳ１０１０：Ｎｏ）、障害予測ポイントを減算（ポイント−１）する（ステップＳ１０１２）。
【００９９】
（２．温度チェック）
また、２．温度状態警告レベルチェックの処理については、上記図９に示した電圧チェックの処理内容と同じ処理で行えるため、図面は省略する。温度チェックでは、一定の時間（例えば１０ｍｓ毎）に温度センサ９０３が検出した温度値を読み取り、温度が閾値内であれば温度カウンタを減算し、温度が閾値を超えた場合には超えた分相当の段階別の温度カウンタを加算する。例えば温度限界１００℃の部品の温度に対して９４℃、９６℃、９８℃等の閾値を設定して各段階別にカウンタ値を１〜３加算する。
【０１００】
（３．パリティチェック）
図１１は、実施の形態にかかる障害予測に用いるパリティチェックの処理例を示すフローチャートである。図１１は、図３のステップＳ３０２の処理の詳細であり、上記３．エラー発生率警告レベルチェック（ＣＰＵ／回線）の処理に該当し（図９参照）、障害予測部１２２が主に実行処理する（例えば１０ｍｓ周期で実行）。
【０１０１】
ＣＰＵパリティエラーを例に説明すると、障害予測部１２２は、カード状態監視部１２１が取得した機能カード（例えば機能カード１１３ａ）のＣＰＵ９０４のパリティエラー発生率を取り込む（ステップＳ１１０１）。以下、障害予測部１２２は、パリティエラー発生率が増加していなければ発生率増加カウンタ値を減算し、パリティエラー発生率が増加していれば発生率の程度に応じたカウンタ値を加算する。
【０１０２】
具体的には、障害予測部１２２は、パリティエラー発生率を過去（現在から過去所定期間分）のパリティエラー発生率と比較し（ステップＳ１１０２）、パリティエラー発生率が増加していなければ（同じまたは減少、ステップＳ１１０３：Ｎｏ）、発生率増加カウンタを減算（例えば−１）する（ステップＳ１１０４）。
【０１０３】
一方、パリティエラー発生率が増加していれば（ステップＳ１１０３：Ｙｅｓ）、はじめに第１範囲（例えば増加幅１０％未満）であるか判断する（ステップＳ１１０５）。増加幅が第１範囲未満であれば（ステップＳ１１０５：Ｙｅｓ）、発生率増加カウンタのカウンタ値を最も小さく加算（例えば＋１）する（ステップＳ１１０６）。第１範囲以上であれば（ステップＳ１１０５：Ｎｏ）、次の第２範囲（例えば増加幅３０％未満）であるか判断する（ステップＳ１１０７）。第２範囲未満であれば（ステップＳ１００７：Ｙｅｓ）、発生率増加カウンタのカウンタ値を加算（例えば＋２）する（ステップＳ１１０８）。第２範囲以上であれば（ステップＳ１１０７：Ｎｏ）、次の第３範囲（例えば増加幅５０％未満）であるか判断する（ステップＳ１１０９）。第３範囲未満であれば（ステップＳ１１０９：Ｙｅｓ）、発生率増加カウンタのカウンタ値を加算（例えば＋３）する（ステップＳ１１１０）。第３範囲以上であれば（ステップＳ１１０９：Ｎｏ）、増加幅が最も大きく（例えば、増加幅５０％以上）、発生率増加カウンタのカウンタ値を加算（例えば＋４）する（ステップＳ１１１４）。
【０１０４】
障害予測部１２２は、ステップＳ１１０３〜ステップＳ１１１０の処理においてパリティエラー発生率の増加幅が５０％未満であればステップＳ１１１１の処理に移行し、増加幅が５０％以上であれば直接、ステップＳ１１１４の処理を実行する。
【０１０５】
ステップＳ１１１１では、障害予測部１２２は、発生率増加カウンタ値が所定値（例えば１００）以上であるか判断し（ステップＳ１１１１）、所定値（１００）以上であれば（ステップＳ１１１１：Ｙｅｓ）、障害予測ポイントを加算（ポイント＋１）する（ステップＳ１１１２）。一方、発生率増加カウンタ値が所定値（例えば１００）未満であれば（ステップＳ１１１１：Ｎｏ）、障害予測ポイントを減算（ポイント−１）する（ステップＳ１１１３）。
【０１０６】
ステップＳ１１１４では、メモリ９０５のパリティエラー発生率の増加幅が大きい（５０％以上である）ため、障害予測部１２２は、メモリ９０５の故障が近いと予測し、発生率増加カウンタを最も大きく加算（例えば＋４）し（ステップＳ１１１４）、直接、障害予測ポイントを加算する（ステップＳ１１１５）。上記処理例は、ＣＰＵパリティエラーを例に説明したが、回線エラーについても同様の処理内容でチェックできる。
【０１０７】
（４．ＣＰＵ負荷チェック）
図１２は、実施の形態にかかる障害予測に用いるＣＰＵ負荷チェックの処理例を示すフローチャートである。図１２は、図３のステップＳ３０３の処理の詳細であり、上記４．ＣＰＵ異常負荷警告レベルチェックの処理に該当し（図９参照）、障害予測部１２２が主に実行処理する（例えば１０ｍｓ周期で実行）。
【０１０８】
はじめに、障害予測部１２２は、カード状態監視部１２１が取得した機能カード（例えば機能カード１１３ａ）のＣＰＵ９０４のＣＰＵ負荷率を取り込み（ステップＳ１２０１）、回線負荷率を取り込む（ステップＳ１２０２）。以下、障害予測部１２２は、ＣＰＵ負荷をＣＰＵ負荷率と回線負荷率とに基づいて判断し、正常であればカウンタ値を減算し、異常であれば異常の程度に応じたカウンタ値を加算する。
【０１０９】
具体的には、障害予測部１２２は、はじめに回線負荷率を所定の閾値（例えば１０％）と比較し（ステップＳ１２０３）、回線負荷率が閾値（１０％）以上の場合には（ステップＳ１２０３：Ｙｅｓ）、ＣＰＵ負荷警告カウンタを減算（例えば−１）する（ステップＳ１２０４）。一方、回線負荷率が閾値（１０％）未満であるが、ＣＰＵ負荷率が高い場合には、ＣＰＵ負荷率に応じてＣＰＵ負荷警告カウンタを加算する。
【０１１０】
例えば、回線負荷率が閾値（１０％）未満の場合（ステップＳ１２０３：Ｎｏ）、ＣＰＵ負荷率が最も高い場合には、はじめに第１範囲（例えばＣＰＵ負荷率９０％以上）であるか判断する（ステップＳ１２０５）。ＣＰＵ負荷率が第１範囲以上であれば（ステップＳ１２０５：Ｙｅｓ）、ＣＰＵ負荷警告カウンタのカウンタ値を最も大きく加算（例えば＋３）する（ステップＳ１２０６）。第１範囲未満であれば（ステップＳ１２０５：Ｎｏ）、次の第２範囲（例えばＣＰＵ負荷率８０％以上）であるか判断する（ステップＳ１２０７）。第２範囲以上であれば（ステップＳ１２０７：Ｙｅｓ）、ＣＰＵ負荷警告カウンタのカウンタ値を加算（例えば＋２）する（ステップＳ１２０８）。第２範囲未満であれば（ステップＳ１２０７：Ｎｏ）、次の第３範囲（例えばＣＰＵ負荷率７０％以上）であるか判断する（ステップＳ１２０９）。第３範囲以上であれば（ステップＳ１２０９：Ｙｅｓ）、ＣＰＵ負荷警告カウンタのカウンタ値を加算（例えば＋１）する（ステップＳ１２１０）。第３範囲未満であれば（ステップＳ１２０９：Ｎｏ）、ＣＰＵ負荷率が最も小さく（例えば、ＣＰＵ負荷率７０％未満）、ＣＰＵ負荷警告カウンタのカウンタ値を減算（例えば−１）する（ステップＳ１２１１）。
【０１１１】
この後、障害予測部１２２は、ＣＰＵ負荷警告カウンタ値が所定値（例えば１００）以上であるか判断し（ステップＳ１２１２）、所定値（１００）以上であれば（ステップＳ１２１２：Ｙｅｓ）、障害予測ポイントを加算（ポイント＋１）する（ステップＳ１２１３）。一方、ＣＰＵ負荷警告カウンタ値が所定値（例えば１００）未満であれば（ステップＳ１２１２：Ｎｏ）、障害予測ポイントを減算（ポイント−１）する（ステップＳ１２１４）。
【０１１２】
（５．回線異常チェック）
また、５．回線異常発生率警告レベルチェックの処理については、上記図１２に示したＣＰＵ負荷チェックの処理内容と同じ処理で行えるため、図面は省略する。この５．回線異常発生率警告レベルチェックは、図３のステップＳ３０４の処理に相当する。
【０１１３】
回線異常発生率チェックでは、一定の時間（例えば１０ｍｓ毎）に回線負荷監視と回線エラー監視で得た値（回線負荷率、回線パリティエラー発生率、回線プロトコルエラー発生率）を読み取り、回線負荷率が低い状態（例えば１０％以下）で、かつ回線パリティエラー発生率あるいは回線プロトコルエラー発生率が高い場合（例えば７０％以上）、回線異常警告カウンタを加算し、それ以外の状態の場合はカウンタを減算する。例えば、回線負荷率１０％以下でかつエラー発生率９０％以上で３ポイント、回線負荷率１０％以下でかつエラー発生率８０％以上で２ポイント、回線負荷率１０％以下でかつエラー発生率７０％以上で２ポイント等、各段階別にカウンタ値を１〜３加算する。
【０１１４】
（障害予測ポイントの集計について）
図１３は、実施の形態にかかる障害予測ポイントの集計の処理例を示すフローチャートである。障害予測部１２２に設けられる障害予測集計部１２２ｈが行う処理例について説明する。この障害予測集計部１２２ｈには、上述した１．〜５．の複数の障害予測チェック項目別の障害予測ポイントが入力され、これら障害予測ポイントの合計値（集計ポイント）を求める（ステップＳ１３０１）。
【０１１５】
次に、障害予測集計部１２２ｈは、集計ポイントが設定された所定の閾値未満であるかを判断する（ステップＳ１３０２）。集計ポイントが閾値未満であれば（ステップＳ１３０２：Ｙｅｓ）、集計ポイントをクリアする（ステップＳ１３０３）。一方、集計ポイントが閾値以上であれば（ステップＳ１３０２：Ｎｏ）、障害発生が近いと判断し、カード制御部１２４へ集計ポイントを通知し（ステップＳ１３０４）、ステップＳ１３０３の処理に移行する。
【０１１６】
（障害予測学習部による障害予測情報の配信および受信処理）
図１４Ａは、実施の形態にかかる障害予測情報の配信処理例を示すフローチャートである。上述した障害予測学習部１２３は、ある一定周期（例えば１００ｍｓ）で、同一ネットワーク上の隣接装置（基地局装置１００等）に障害予測情報をブロードキャストで配信する（ステップＳ１４０１）。
【０１１７】
図１４Ｂは、実施の形態にかかる障害予測情報の受信処理例を示すフローチャートである。自局の障害予測学習部１２３は、他装置（基地局装置１００等）から障害予測情報を受信する。これにより、自局の障害予測学習部１２３は、受信した障害予測情報に含まれる障害予測チェック項目別のポイント係数を上記１．〜５．の障害予測チェック項目別の機能部１２２ａ〜１２２ｅに出力する。各機能部１２２ａ〜１２２ｅは、対応する障害予測チェック項目にポイント係数を設定する（ステップＳ１４１１）。
【０１１８】
図１４Ｃは、実施の形態にかかる障害予測情報の受信処理例を示すフローチャートである。自局の障害予測学習部１２３は、他装置（基地局装置１００等）から障害予測情報を受信すると（ステップＳ１４２１）、この障害予測情報に含まれる障害予測チェック項目別の障害予測ポイントを自装置内の障害予測ポイントと比較する（ステップＳ１４２２）。ここで、他装置と自装置の障害予測ポイントが所定の範囲内で同じであれば（ステップＳ１４２２：Ｙｅｓ）、処理を終了する。一方、他装置と自装置の障害予測ポイントが所定の範囲を超えて異なる項目があれば（ステップＳ１４２２：Ｎｏ）、上述した項目別の重みづけ（ポイント係数）変更の処理を行う（ステップＳ１４２３）。
【０１１９】
例えば、障害予測チェック項目として、ＣＰＵ異常負荷監視と回線異常監視について異なったとする。この場合、設定するポイント係数は、現在のポイント係数×（１／検出装置台数）により算出する。これにより、１装置（自装置のみ）検出の場合には、ポイント係数×（１／１装置）＝係数×１００％となる。また、２装置検出の場合には、ポイント係数×（１／２装置）＝係数×５０％となる。また、５装置検出の場合には、ポイント係数×（１／５装置）＝係数×２０％となる。
【０１２０】
上記処理により、異常とみられる事象が複数の他装置で生じた場合には、その装置数が多いほど障害予測ポイントに乗算する重みづけ（ポイント係数）を下げることにより自装置の固有障害を検出しにくくし、精度向上を図ることができるようになる。
【０１２１】
（冗長カードのスイッチ切替動作について）
図１５は、実施の形態にかかる冗長カードのスイッチ切替動作を説明する図である。上述した実施の形態に対応する複数の機能カード１１３ａ〜１１３ｎ、および冗長カード１１３ｎ＋１に隣接して設けられる一対のＳＷ部１１２、無線装置ＩＦ部１１４間の配置を示している。
【０１２２】
例えば、機能カードｆ２（系統Ｂ）に障害予測が検知された場合、事前配置のカード移動制御により、一対のスイッチＳ３（１１２ａ，１１４ａに対応）が切り替えられ、冗長カードｆ４が機能カードｆ３と入れ替えられる。この際、位置ｄで機能カードｆ３の機能が実行され、位置ｃの冗長カードｆ４は、何も機能実行せず待機状態となる。
【０１２３】
この後、実際に機能カードｆ２（系統Ｂ）に障害が発生した場合、一対のスイッチＳ２が切り替えられ、障害が発生した機能カードｆ２に隣接する待機状態の冗長カードｆ４が機能カードｆ２と入れ替えられる。これにより、障害が発生した位置ｂの機能カードｆ２は、どの系統からも切り離される。また、位置ｃの冗長カードｆ４は、機能カードｆ２が行っていた系統Ｂの運用サービスを継続する。このように、実際に機能カードｆ２（系統Ｂ）に障害が発生した場合、実施の形態によれば１回のスイッチ切替だけで済み、短時間で障害を解消できる。
【０１２４】
冗長カードｆ４は、配置位置を実際に移動させるのではなく、スイッチ切替によって隣接する機能カードと一つずつ入れ替えを行って、障害発生した機能カードｆ２の機能を代替えする。
【０１２５】
なお、冗長カード１１３＋１は、障害予測された機能カードに対しスイッチの切り替え範囲内に位置するよう事前配置させることで、障害発生時に系統（インタフェース配線）が同じままで最小のスイッチ切替回数にできる。図１５に示したようにスイッチが２方向切り替えスイッチであれば、障害予測された機能カードｆ２が一方の接点に接続されたスイッチＳ２の他方の接点（位置ｃ）に、冗長カードｆ４を事前配置させておけばよい。
【０１２６】
（他の実施の形態）
図１６は、他の実施の形態にかかる冗長カードのスイッチ切替動作を説明する図である。上記の実施の形態では、図１５に示したように、インタフェース配線と機能カードとを接続するスイッチを機能カードに隣接する外側（ＳＷ部１１２、無線装置ＩＦ部１１４）にそれぞれ配置することとした。そして、スイッチ切替によって図の配置方向上下で隣接する２つの機能カード間の接続関係を選択的に切り替える構成とした。
【０１２７】
図１６に示す構成例では、機能カード側（ＴＲＸ−ＩＮＦ機能部１１３）に一対のスイッチを配置し、この一対のスイッチがＳＷ部１１２および無線装置ＩＦ部１１４との系統（インタフェース配線）の接続関係を切り替える。このようにスイッチの配置位置を変更しても上記実施の形態と同様の処理を行うことができる。
【０１２８】
（実施の形態との対比例）
図１７は、実施の形態にかかる切り替え時間の優位性を説明する図である。図１７を用いて従来技術による障害発生時のカード切り替えにかかる時間を説明する。一つの機能カード間でのスイッチ切替に１００〜２００ｍｓの時間がかかる。そして、障害発生時、障害が発生した機能カード１１３ｎと冗長カード１１３ｎ＋１を切り替えるために、冗長カードを機能カード１１３ｎの方向上で１枚の機能カード１１３ａ〜１１３ｎまで切り替えていく必要がある。そして、障害が発生した機能カード１１３ｎが冗長カード１１３ｎ＋１と切り替わるまでの時間、運用サービス断が発生する。
【０１２９】
従来は、ある機能カード１１３ｎに障害が発生してから冗長カード１１３ｎ＋１に切り替える処理を開始するため、この切り替え処理の開始から終了までの期間の運用サービス断が生じた。例えば、基地局装置１００のＴＲＸ−ＩＮＦ機能部１１３が最大１３枚搭載された場合の最大の運用サービス断時間は以下のようになる。
【０１３０】
切り替え時間：２００ｍｓ／枚
最大カード枚数：１３枚
最大切り替え回数：１２回
最大運用サービス断時間：１２（回）×２００（ｍｓ）＝２４００（ｍｓ）
以上に加えて、冗長カードが省電力のため電源断状態で待機していた場合、冗長カードの起動にかかる時間も必要となる。
【０１３１】
これに対し、実施の形態では、ある機能カード１１３ｎに障害が発生した場合でも、事前予測でこの機能カード１１３ｎに隣接して冗長カード１１３ｎ＋１が配置されている。したがって、実施の形態では、ある機能カード１１３ｎに障害が発生した場合、隣接する冗長カード１１３ｎ＋１への１回のスイッチ切替だけで済むため、従来に比して切り替え時間を１／１２に抑えることができる。また、障害発生予測により、冗長カードを起動させて障害予測カードの近傍に事前配置させておくため、省電力化とともに、障害発生時に冗長カードの起動時間を含まず短時間で障害解消できるようになる。
【０１３２】
以上説明した実施の形態によれば、複数の機能カードと冗長カードを有する構成において、機能カードの障害予測を行い、障害発生が予測された機能カードの近傍に冗長カードを事前配置させておく。これにより、実際に障害が発生した場合、迅速に機能カードから冗長カードに切り替えることができるようになる。
【０１３３】
そして、冗長カードを機能カードに隣接して事前配置することで１回のスイッチ切替を行うだけでよく運用サービス断時間を最小に抑えることができる。また、障害発生が予測されたカードが複数枚生じた場合でも、これら複数枚の機能カードの配置位置に応じてどの機能カードで障害が発生しても最小のスイッチ切替回数で冗長カードに切り替えできるよう事前配置しておく。これにより、障害発生が予測されたカードが複数枚生じた場合でも、実際に運用サービス断が生じた機能カードをできるだけ短時間で冗長カードに切り替え、運用サービス断時間を短時間に抑えることができるようになる。
【０１３４】
また、上述の説明では、図１に示す機能部Ａ（ＴＲＸ−ＩＮＦ機能部１１３）の複数枚の機能カード１１３ａ〜１１３ｎに対する冗長カード１１３ｎ＋１の移動制御について説明したが、これに限らない。例えば、図１に示す機能部Ｂ（ＢＢ機能部１１１）についても複数枚の機能カードを有し、この機能部Ｂを含め複数枚の機能カードの移動制御について同様に適用できる。また、機能カード１１３ａ〜１１３ｎをカード状として説明したが、形状もカード状に限らず筐体を含む回路装置（機能装置）であってもよい。
【０１３５】
また、実施の形態では、１枚の冗長カード１１３ｎ＋１を設ける構成としたが、複数枚の冗長カードを設けてもよい。例えば２枚の１１３ｎ＋１，１１３ｎ＋２を設ける場合、これら２枚の冗長カードを複数の機能カード１１３ａ〜１１３ｎの両端に初期配置しておくことで、障害予測による事前配置にかかる処理時間を短時間化できるようになる。
【０１３６】
上述した各実施の形態に関し、さらに以下の付記を開示する。
【０１３７】
（付記１）複数のインタフェース配線間の信号を処理する複数の機能カードと、一以上の冗長構成の機能カードとを備える基地局装置であって、
一のインタフェース配線あたり一対の前記機能カードを切替可能なスイッチと、
複数の前記機能カードそれぞれの障害発生を予測し、当該障害予測された前記機能カードの位置に基づいて前記スイッチを切替制御し、前記冗長構成の機能カードを障害予測された前記機能カードの近傍に事前配置させる制御部と、
を備えたことを特徴とする基地局装置。
【０１３８】
（付記２）前記スイッチは、
複数の前記インタフェース配線の各々に設けられ、一のインタフェース配線につき第１系統と第２系統との２配線を選択的に切替接続し、前記第１系統と前記第２系統とは異なる前記機能カードに切替接続可能であり、かつ、隣接する前記スイッチ間の前記第１系統と前記第２系統とは同じ機能カードに切替接続可能なことを特徴とする付記１に記載の基地局装置。
【０１３９】
（付記３）前記制御部は、
障害予測された前記機能カードの障害発生時に前記スイッチを切替制御し、障害発生した前記機能カードを前記インタフェース配線から切り離し、前記冗長構成の機能カードを前記インタフェース配線に接続することを特徴とする付記１または２に記載の基地局装置。
【０１４０】
（付記４）前記制御部は、
障害予測された前記機能カードが生じた場合、前記冗長構成の機能カードから障害予測された前記機能カードの方向上の前記スイッチを一つずつスイッチ切替することで、前記冗長構成の機能カードを障害予測された前記機能カードに近接する位置に事前配置させることを特徴とする付記１〜３のいずれか一つに記載の基地局装置。
【０１４１】
（付記５）前記制御部は、
障害予測された前記機能カードが１枚の場合、前記冗長構成の機能カードを障害予測された前記機能カードに隣接する位置に事前配置させることを特徴とする付記４に記載の基地局装置。
【０１４２】
（付記６）前記制御部は、
障害予測された前記機能カードが複数枚の場合、前記冗長構成の機能カードを障害予測された複数枚の前記機能カードのそれぞれに対し前記スイッチの切替回数が少なくなる位置に事前配置させることを特徴とする付記４に記載の基地局装置。
【０１４３】
（付記７）前記制御部は、
障害予測された前記機能カードが２枚の場合、前記冗長構成の機能カードを障害予測された２枚の前記機能カードの中間位置に事前配置させることを特徴とする付記４に記載の基地局装置。
【０１４４】
（付記８）前記制御部は、
複数枚の前記機能カードの動作状態の状態監視に基づき、障害予測することを特徴とする付記１〜７のいずれか一つに記載の基地局装置。
【０１４５】
（付記９）前記制御部は、
前記複数枚の前記機能カードの動作状態を複数の項目別に状態監視し、当該項目別の監視値の集計値を生成し、当該集計値に基づいて前記事前配置の有無を判断することを特徴とする付記８に記載の基地局装置。
【０１４６】
（付記１０）前記制御部は、
他の外部装置に対し、前記障害予測の数値を通知することを特徴とする付記９に記載の基地局装置。
【０１４７】
（付記１１）前記制御部は、
前記項目別の障害予測の値毎に所定の重みづけを設定することを特徴とする付記９または１０に記載の基地局装置。
【０１４８】
（付記１２）前記制御部は、
他の外部装置から通知された前記項目別の障害予測の値に基づき、自装置の項目別の障害予測の値に重みづけを設定することを特徴とする付記９〜１１のいずれか一つに記載の基地局装置。
【０１４９】
（付記１３）前記制御部は、
前記集計値を所定の閾値と比較して前記事前配置の有無を判断し、所定の処理回数で前記集計値が閾値を超えない場合、前記閾値を集計値に近接させることを特徴とする付記９〜１２のいずれか一つに記載の基地局装置。
【０１５０】
（付記１４）前記制御部は、
前記事前配置時に、前記冗長構成の機能カードを起動させることを特徴とする付記１〜１３のいずれか一つに記載の基地局装置。
【０１５１】
（付記１５）前記制御部は、
前記監視値が異常の場合、異常の程度別の値を加算し、正常の場合、値を減算した集計値を生成することを特徴とする付記９に記載の基地局装置。
【符号の説明】
【０１５２】
１００  基地局装置
１０１  ベースステーション部
１０２  ＲＥ部
１１１  機能部Ｂ（ＢＢ機能部）
１１２  ＳＷ部
１１３  機能部Ａ（ＴＲＸ−ＩＮＦ機能部）
１１３ａ〜１１３ｎ  機能カード
１１３ｎ＋１  冗長カード
１１４  無線装置ＩＦ部
１１６  装置制御部
１２１  カード状態監視部
１２１ａ  カード監視制御パス
１２２  障害予測部
１２３  障害予測学習部
１２４  カード制御部
【図１】
2015226229.tif 000003
【図２】
2015226229.tif 000004
【図３】
2015226229.tif 000005
【図４】
2015226229.tif 000006
【図５】
2015226229.tif 000007
【図６】
2015226229.tif 000008
【図７】
2015226229.tif 000009
【図８】
2015226229.tif 000010
【図９】
2015226229.tif 000011
【図１０】
2015226229.tif 000012
【図１１】
2015226229.tif 000013
【図１２】
2015226229.tif 000014
【図１３】
2015226229.tif 000015
【図１４Ａ】
2015226229.tif 000016
【図１４Ｂ】
2015226229.tif 000017
【図１４Ｃ】
2015226229.tif 000018
【図１５】
2015226229.tif 000019
【図１６】
2015226229.tif 000020
【図１７】
2015226229.tif 000021
【図１８】
2015226229.tif 000022
【図１９】
2015226229.tif 000023